(57)【要約】【課題】水道水の水圧を利用するルーツポンプ機構によりブラッシング部材を駆動回転させる構造により、使い勝手に優れた洗浄ブラシを提供すること。【解決手段】水道水の噴出圧力によって回転駆動部に取り付けたブラッシング部材を駆動回転させるように構成した洗浄ブラシにおいて、前記回転駆動部については、本体のケーシング部１ｃに、ルーツロータ１３，１５が夫々設けられた二つのロータ軸１２，１４を縦向きに回転自由に支持すると共に、各ロータ軸に固定されたタイミングギヤ１６，１７を噛合させてルーツロータを互いに反対方向に回転させるように設けたルーツポンプ機構１０とし、一方のロータ軸１２の一端部にブラッシング部材３０を着脱可能に設け、ケーシング部１ｃに形成した吹き出し口３に供給される水道水の噴出圧力によってルーツロータ１３，１５を回転作動させてブラッシング部材３０が駆動回転するように構成した。【選択図】  図１
2004275483.tif 000002
【特許請求の範囲】
【請求項１】
水道ホースを連結する給水口が備えられた本体に回転駆動部を設け、供給される水道水の噴出圧力によって該回転駆動部に取り付けられたブラッシング部材を駆動回転させるように構成した洗浄ブラシにおいて、
前記回転駆動部については、前記本体に形成されたケーシング部に、ルーツロータが夫々設けられた二つのロータ軸を縦向きに回転自由に支持すると共に、各ロータ軸に固定されたタイミングギヤを噛合させて該ルーツロータを互いに反対方向に回転させるように設けたルーツポンプ機構とし、一方のロータ軸の一端部に前記ブラッシング部材を着脱可能に設け、前記給水口からケーシング部に形成された吹き出し口に供給される水道水の噴出圧力によって前記ルーツロータを回転作動させることにより、そのブラッシング部材を駆動回転させるように構成したことを特徴とする洗浄ブラシ。
【請求項２】
前記ケーシング部の下部に固定されたハウジングの所定箇所に多数の小孔を形成し、前記ルーツロータの回転作動に用いられた水道水をそれらの小孔から前記ブラッシング部材側に排出させるように設けたことを特徴とする請求項１に記載の洗浄ブラシ。
【請求項３】
前記ブラッシング部材の回転盤に多数の透孔を形成したことを特徴とする請求項２に記載の洗浄ブラシ。
【発明の詳細な説明】
【０００１】
【発明の属する技術分野】
本発明は、自動車の車体やコンクリート床等の洗浄に使用される手持ち式の洗浄ブラシに関する。
【０００２】
【従来の技術】
洗車等に使用される手持ち式の洗浄ブラシとして、ブラシを固定した構造のものと、ブラシを回転させる構造のものがある。登録実用新案第３０５９６３２号公報には、ローラ状ブラシを水道水の水圧を利用して回転させつつ横向きの回転軸により上下方向に可動自由に設けた洗車用具が開示されている。また、特開平１０−２１７９１８号公報には、コイン式ウォッシャーのスプレーガンに装着されるように設けられており、スプレーガンに供給される洗浄水によってブラシを備えた洗浄体を回転させる構造の洗車用具が提案されている。
【０００３】
【発明が解決しようとする課題】
上記従来の洗車用具は、何れも水道水又は洗浄水の水圧を利用してブラシを回転させる構造とされている。ところが、前者の洗車用具においては、負荷が少ないときにローラ状ブラシを回転させた水が遠心力作用によって使用者に向かうように飛散するので、使い勝手が芳しくなく、水車型構造であるために大きな回転トルクが得られないと言える。後者の洗車用具においても、高圧力の洗浄水を外方から洗浄体に吹き付けることにより洗浄体を駆動回転させる構造であることから、洗浄体に吹き付けられた洗浄水が周囲に飛散することは免れないであろう。
【０００４】
本発明の目的は、水道水の水圧を利用するルーツポンプ機構によりブラッシング部材を駆動回転させる構造により、負荷の変化による回転数や回転トルクの変動が少なくて使い勝手に優れた洗浄ブラシを提供することにある。
【０００５】
【課題を解決するための手段】
前記目的を達成するために請求項１に記載した発明は、水道ホースを連結する給水口が備えられた本体に回転駆動部を設け、供給される水道水の噴出圧力によって該回転駆動部に取り付けられたブラッシング部材を駆動回転させるように構成した洗浄ブラシにおいて、前記回転駆動部については、前記本体に形成されたケーシング部に、ルーツロータが夫々設けられた二つのロータ軸を縦向きに回転自由に支持すると共に、各ロータ軸に固定されたタイミングギヤを噛合させて該ルーツロータを互いに反対方向に回転させるように設けたルーツポンプ機構とし、一方のロータ軸の一端部に前記ブラッシング部材を着脱可能に設け、前記給水口からケーシング部に形成された吹き出し口に供給される水道水の噴出圧力によって前記ルーツロータを回転作動させることにより、そのブラッシング部材を駆動回転させるように構成したことを特徴とする。
【０００６】
同様の目的を達成するために請求項２に記載した発明は、請求項１に記載の洗浄ブラシにおいて、前記ケーシング部の下部に固定されたハウジングの所定箇所に多数の小孔を形成し、前記ルーツロータの回転作動に用いられた水道水をそれらの小孔から前記ブラッシング部材側に排出させるように設けたことを特徴とするものである。
【０００７】
同様の目的を達成するために請求項３に記載した発明は、請求項２に記載の洗浄ブラシにおいて、前記ブラッシング部材の回転盤に多数の透孔を形成したことを特徴とするものである。
【０００８】
【発明の作用及び効果】
（請求項１の発明）
本体の給水口に供給される水道水が吹き出し口から勢いよく噴出し、その噴出圧力（約７０〜３００ｋＰａ）によってルーツポンプ機構のルーツロータが回転作動するので、ブラッシング部材を駆動回転させる。しかして、この洗浄ブラシによれば、回転作動するブラッシング部材を自動車の車体等の物品に押し付けて適宜に動かすことにより、物品に付着した埃や汚泥を洗い落として綺麗に洗浄することができる。さらに、この洗浄ブラシでは、負荷の変化による回転数や回転トルクの変動が少ないルーツポンプ機構を採用しているので、負荷の減少によりルーツロータの回転数が急激に増加して使用された水道水が周囲に飛散することがなく、洗浄作業を快適に行うことができる。
【０００９】
（請求項２の発明）
この洗浄ブラシでは、ルーツポンプ機構の作動に用いられた水道水が、ハウジングの小孔からブラッシング部材側に排出される。これにより、ブラッシング部材や物品に付着する埃や汚泥が、排出される水道水により洗い落とされる。
【００１０】
（請求項３の発明）
この洗浄ブラシでは、ルーツポンプ機構の作動に用いられた水道水が、ハウジングの小孔からブラッシング部材側に排出されるが、その一部はブラッシング部材の透孔から当該部材の内部に排出される。これにより、ブラッシング部材に付着する埃や汚泥が、排出される水道水により洗い落とされる。
【００１１】
【発明の実施の形態】
以下に、本発明の実施の形態例を図面に基づいて説明する。図１は洗浄ブラシの斜視図、図２は洗浄ブラシの一部破断平面図、図３は図２の要部の破断側面図である。
【００１２】
図において、本発明の手持ち式の洗浄ブラシＢは、中空状に形成されたプラスチック製本体１の握り部１ａから先端寄りの中間部分１ｂを、先端のケーシング部１ｃの向きを少しだけ変更可能にするためにフレキシブルチューブ形態に設けている。
【００１３】
そのケーシング部１ｃは、上方及び下方が開放されていて、図２に示すように、ルーツポンプ機構１０を構成するロータ室１１の入口部分に吹き出し口３を、ロータ室１１の出口部分に排水溜り部４を一体に形成している。その吹き出し口３は、細く絞られた形状の導水通路５の先端に設けられている。その導水通路５は、握り部１ａの後端に配設されたコック６を介して給水口２に連通するように設けられている。
【００１４】
上記ケーシング部１ｃの下部には、所定間隔を置いて縦向きの軸受け部２１，２２を配置したハウジング２０が固定されている。１２，１４は２葉のエンベローブ曲線形状のルーツロータ１３，１５が夫々設けられた二つのロータ軸であり、それらのロータ軸１２，１４の一端部１２ａ，１４ａは前記軸受け部２１，２２に夫々挿入されている。そして、ケーシング部１ｃの上部に隔板２５を介在させて各ロータ軸１２，１４に固定されたタイミングギヤ１６，１７を噛合させた状態において、カバーハウジング２６が当該ケーシング部１ｃに取り付けられている。そのカバーハウジング２６には、所定間隔を置いて縦向きの軸受け部２７，２８が配置されていて、ロータ軸１２，１４の他端部１２ｂ，１４ｂがそれら軸受け部２７，２８に夫々挿入されている。なお、ロータ軸１２の一端部１２ａについては、ハウジング２０から外方に少し突出するように設けられている。
【００１５】
しかして、二つのロータ軸１２，１４が縦向きに回転自由に支持されていて、ケーシング部１ｃ内のルーツロータ１３，１５を互いに反対方向に回転させるように設けたルーツポンプ機構１０が構成される。
【００１６】
ハウジング２０の上面で前記ロータ室１１の出口部分から排水溜り部４の範囲に対応する箇所には、多数の小孔２３を形成している。２４はハウジング２０の周部に固定されたリング形のカバーであり、後記ブラッシング部材３０の外周囲を覆うように設けられている。
【００１７】
３０は回転盤３１の中心に突設した固定用ボルト３２を上記ロータ軸１２の一端部１２ａに螺合して取り付けられるブラッシング部材である。そのブラッシング部材３０の回転盤３１には、多数の透孔３３を形成すると共にその前面にプラスチック製又は植物繊維を糸状としたブラシ３５が植設されている。
【００１８】
しかして、給水口２に接続される水道ホース４０から供給される所定圧力の水道水を吹き出し口３から噴出させ、その噴出圧力によってルーツポンプ機構１０のルーツロータ１３，１５を回転作動させることにより、一方のルーツロータ１３のロータ軸１２に固定されたブラッシング部材３０を駆動回転するように設けた洗浄ブラシＢが構成される。
【００１９】
かかる手持ち式の洗浄ブラシＢの作動及び取り扱い方については、［発明の作用及び効果］の項において述べた内容に準ずるので、説明を省略する。
【００２０】
つぎに、本発明の「洗浄ブラシＢ」について、図４に示すインペラータイプの「洗浄ブラシＩ」を比較例として性能試験を行った。その結果を以下に示す。
【００２１】
（実験１）
本発明の「洗浄ブラシＢ」についての性能試験
ルーツポンプ機構
ロータ軸の間隔寸法：５３．５ｍｍ、ロータ：２葉、幅寸法：３５ｍｍ
（１）水道水の圧力：７０ｋＰａ、水量：毎分１５リットルの場合
回転トルク：０．３３ｋｇｍ
無負荷時におけるブラッシング部材の回転数：４０ｒｐｍ
洗浄時におけるブラッシング部材の回転数  ：約２５〜３０ｒｐｍ
（２）水道水の圧力：１００ｋＰａ、水量：毎分２０リットルの場合
回転トルク：０．３９ｋｇｍ
無負荷時におけるブラッシング部材の回転数：６６ｒｐｍ
洗浄時におけるブラッシング部材の回転数  ：約３０〜４０ｒｐｍ
【００２２】
（実験２）
比較例の「洗浄ブラシＩ」についての性能試験
噴出孔の大きさ：直径４ｍｍ
インペラーの大きさ：外径８０ｍｍ、葉片の数：８
ブラッシング部材の大きさ：外径１１０ｍｍ
水道水の圧力：２４０ｋＰａ、水量：毎分２５リットルの場合
回転トルク：０．０３ｋｇｍ
無負荷時におけるブラッシング部材の回転数：１２０ｒｐｍ
洗浄時におけるブラッシング部材の回転数  ：約１０〜３０ｒｐｍ
【００２３】
ここで、上記洗浄ブラシＩの構造を簡単に説明する。図４、図５に示すように、この洗浄ブラシＩは、水道水を噴出させる噴出孔ｃが内方に向けて形成されたケーシングｂを中空状本体ａの先端に設け、そのケーシング内のインペラーｆを回転軸ｅにより回転自由に支持し、供給される水道水の噴出圧力によってインペラーｆを回転作動させることにより、回転軸ｅの端部に固定されたブラッシング部材ｇを駆動回転するように構成されている。
【００２４】
なお、上記洗浄ブラシＩのインペラータイプの他に、容積式ベーンポンプ及び容積式トロコイドポンプの機構を用いて同様の実験を試みたところ、水道水の圧力、水量を上昇させても何れも回転不能であった。
【００２５】
実験の結果、本発明の洗浄ブラシＢの回転トルクは、比較例の洗浄ブラシＩにおいて発生する回転トルクに対して約１０倍の数値を示し、高トルクが得られることが確認された。また、洗浄時と無負荷時におけるブラッシング部材の回転数を比較すると、本発明の洗浄ブラシＢでは変動が少ないところ、比較例の洗浄ブラシＩでは大きな変動を生ずることが確認された。
【００２６】
以上に述べた通り、この洗浄ブラシは、水道水の水圧を利用するルーツポンプ機構によりブラッシング部材を駆動回転させる構造とすることより、負荷の変化による回転数や回転トルクの変動が少なくて取り扱い易く、洗浄作業を快適に行うことができる利点がある。
【図面の簡単な説明】
【図１】洗浄ブラシの斜視図
【図２】洗浄ブラシの一部破断平面図
【図３】図２の要部の破断側面図
【図４】比較例のインペラータイプの洗浄ブラシの一部破断平面図
【図５】図４の要部の破断側面図
【符号の説明】
Ｂ・・・洗浄ブラシ
１・・・本体
１ｃ・・・ケーシング部
２・・・給水口
３・・・吹き出し口
１０・・・ルーツポンプ機構（回転駆動部）
１１・・・ロータ室
１２，１４・・・ロータ軸
１３，１５・・・ルーツロータ
１６，１７・・・タイミングギヤ
２０・・・ハウジング
２３・・・小孔
３０・・・ブラッシング部材
３１・・・回転盤
３３・・・透孔
３５・・・ブラシ
【図１】
2004275483.tif 000003
【図２】
2004275483.tif 000004
【図３】
2004275483.tif 000005
【図４】
2004275483.tif 000006
【図５】
2004275483.tif 000007